(57)【特許請求の範囲】
【請求項１】
親機と少なくとも１つ以上の子機とで構成されるコードレス電話機であって、親機は、あらかじめ相手先の氏名と電話番号などの情報を記憶する親機用電話帳と、電話回線を通じて送られてくる発信者番号を解読する着信情報解析手段と、子機と通信を行なう親機送受信手段と、前記親機用電話帳の電話帳データを前記親機送受信手段を介して子機に転送する電話帳転送手段とを備え、子機は、あらかじめ相手先の氏名と電話番号などの情報を記憶する子機用電話帳と、親機と通信を行なう子機送受信手段と、前記電話帳転送手段によって転送された親機の前記電話帳データを格納する親機用電話帳格納手段と、前記発信者番号をバッファする発信者番号バッファ手段と、前記発信者番号バッファ手段でバッファされた発信者番号と前記子機用電話帳のデータ及び前記親機用電話帳格納手段に格納された親機用電話帳のデータとを照合する電話番号照合手段と、前記電話番号照合手段による照合結果に応じて呼出音を選択して鳴り分け動作を行なう鳴り分け手段とを備えることを特徴としたコードレス電話機。
【発明の詳細な説明】
【０００１】
【発明の属する技術分野】
本発明は、電話回線に接続され、発信者番号解読機能と電話帳機能を有するコードレス電話機に関し、特にあらかじめ電話帳に登録してある電話番号の位置によって呼出音を変えることができるよう構成したものである。
【０００２】
【従来の技術】
従来の発信者番号解読機能と電話帳機能を有するコードレス電話機においては着信時に発信者番号情報と自機の電話帳を照合するようになっていた。
【０００３】
【発明が解決しようとする課題】
しかしながら、上記の様な従来のコードレス電話機においては、親機の電話帳データを子機に転送する機能を有していなかったため、子機上において親機の電話帳と発信者番号情報を照合できず、鳴り分けができないという課題を有していた。
【０００４】
本発明は、このような従来の課題を解決するものであり、子機上において電話回線を通じて送られてくる発信者番号と親機と自機の電話帳を照合し、照合結果によって鳴り分けのできる優れたコードレス電話機を提供することを目的とする。
【０００５】
【課題を解決するための手段】
上記問題を解決するために本発明は、親機と少なくとも１つ以上の子機とで構成されるコードレス電話機であって、親機は、あらかじめ相手先の氏名と電話番号などの情報を記憶する親機用電話帳と、電話回線を通じて送られてくる発信者番号を解読する着信情報解析手段と、子機と通信を行なう親機送受信手段と、前記親機用電話帳の電話帳データを前記親機送受信手段を介して子機に転送する電話帳転送手段とを備え、子機は、あらかじめ相手先の氏名と電話番号などの情報を記憶する子機用電話帳と、親機と通信を行なう子機送受信手段と、前記電話帳転送手段によって転送された親機の前記電話帳データを格納する親機用電話帳格納手段と、前記発信者番号をバッファする発信者番号バッファ手段と、前記発信者番号バッファ手段でバッファされた発信者番号と前記子機用電話帳のデータ及び前記親機用電話帳格納手段に格納された親機用電話帳のデータとを照合する電話番号照合手段と、前記電話番号照合手段による照合結果に応じて呼出音を選択して鳴り分け動作を行なう鳴り分け手段とを備えたものである。
【０００６】
したがって、本発明によれば、あらかじめ電話帳に登録してある電話番号が子機の電話帳か親機の電話帳かその位置によって呼出音を変えることができるという効果が得られる。
【０００７】
【発明の実施の形態】
本発明の請求項１に記載の発明は、親機と少なくとも１つ以上の子機とで構成されるコードレス電話機であって、親機は、あらかじめ相手先の氏名と電話番号などの情報を記憶する親機用電話帳と、電話回線を通じて送られてくる発信者番号を解読する着信情報解析手段と、子機と通信を行なう親機送受信手段と、前記親機用電話帳の電話帳データを前記親機送受信手段を介して子機に転送する電話帳転送手段とを備え、子機は、あらかじめ相手先の氏名と電話番号などの情報を記憶する子機用電話帳と、親機と通信を行なう子機送受信手段と、前記電話帳転送手段によって転送された親機の前記電話帳データを格納する親機用電話帳格納手段と、前記発信者番号をバッファする発信者番号バッファ手段と、前記発信者番号バッファ手段でバッファされた発信者番号と前記子機用電話帳のデータ及び前記親機用電話帳格納手段に格納された親機用電話帳のデータとを照合する電話番号照合手段と、前記電話番号照合手段による照合結果に応じて呼出音を選択して鳴り分け動作を行なう鳴り分け手段とを備えることを特徴としたコードレス電話機であり、登録してある電話番号が子機の電話帳か親機の電話帳かその位置によって呼出音を変えることができるという作用を有する。
【０００８】
以下、本発明の実施の形態について、図面を参照しながら説明する。
【０００９】
図１は、本発明を実施する親機１台と子機２台の組み合わせのコードレス電話機の構成を示すブロック図であり、図１においてコードレス電話機の子機１は、鳴り分けを実行する鳴り分け機能部１と、転送された親機の電話帳データ部２と、子機１の電話帳データ部３と、親機との間で電話帳データのやりとりを行なう電話帳転送部４と、親機と通信を行なう送受信部５と、電話帳データと発信者番号データを照合する電話番号照合部６と、親機によって解読された発信者番号をバッファする発信者番号データ部７を備えており、またコードレス電話機の親機は、電話回線13を通じて送られくる発信者番号を解読する着信情報解析部12と、着信情報解析部によって解読された発信者番号データをバッファする発信者番号データ部11と、子機との間で電話帳データのやりとりを行なう電話帳転送部10と、親機の電話帳データ部９と、子機と通信を行なう送受信部８とから構成されている。
【００１０】
以上の構成において、以下、鳴り分け動作について図２に示す登録電話番号の例と図３に示す着信時の発信者番号と鳴り分け動作の例を参照しながら説明する。
【００１１】
親機の電話帳データ部９は送受信部８を通して電話帳転送部10から子機１の電話帳転送部４へ送受信部５を通して子機１の中にある親機電話帳データ部２に転送される。同様に子機２へ親機の電話帳データが転送される。
【００１２】
図２に示すように親機の電話帳データ部９と子機１の電話帳データ部２と子機２の電話帳データ部に電話番号が登録および転送されているものとする。図３に示すとおり電話回線13を通じて送られてくる発信者番号を着信情報解析部12で解析し得られた電話番号が例えば000-000-0000であった場合、電話番号照合部６は親機の電話帳データ部９と子機１の電話帳データ部２と電話番号の照合を行ない、図３の動作表の通り鳴り分け動作を行なう。同様に電話回線13を通じて送られてくる発信者番号を着信情報解析部12で解析し得られた電話番号が例えば111-111-1111と222-222-2222であった場合も図３の表の通りである。
【００１３】
なお、以上の説明では鳴り分け動作の例として図３に示す動作例で説明したが、図３の動作結果はあくまで一例にすぎず、他の動作例でも実施可能であることはいうまでもない。
【００１４】
【発明の効果】
以上のように本発明によれば、あらかじめ親機の電話帳データを子機に転送しておき、自機の電話帳と共に発信者番号と照合比較し鳴り分け動作を行なうことにより、親機宛の電話と自機宛の電話を識別することが可能となる。
【図面の簡単な説明】
【図１】本発明の実施の形態におけるコードレス電話機の構成を示すブロック図、
【図２】本発明の実施の形態における格納された電話帳データの例、
【図３】本発明の実施の形態における着信時の発信者番号と各子機における鳴り分けの対応を記した鳴り分け動作表である。
【符号の説明】
１  鳴り分け機能部
２  転送された親機の電話帳データ部
３  子機１の電話帖データ部
４、10  電話帳転送部
５、８  送受信部
６  電話番号照合部
７、11  電話番号データ部
９  親機の電話帳データ部
12  着信情報解析部
13  電話回線
【図１】
0003879801.tif 000002
【図２】
0003879801.tif 000003
【図３】
0003879801.tif 000004